(57)【特許請求の範囲】
【請求項１】
本体内に配設された電動送風機と、
該電動送風機により吸引された空気に含まれる塵埃を捕集する集塵器と、
前記集塵器の下流側に設けられたフィルターと、
該フィルターを開閉自在に覆うフィルターカバーと、を備え、
前記フィルターカバーは、一端側が前記本体に回動自在に軸支され、他端側が前記本体に設けられた係止部と係脱可能に係止され、当該係止部から係止状態の解除操作をする係止解除ボタンを備えたことを特徴とする電気掃除機。
【請求項２】
前記係止解除ボタンは、前記集塵器が前記本体に取付けられた状態の時には、前記集塵器に覆われて操作ができないことを特徴とする請求項１に記載の電気掃除機。
【請求項３】
前記フィルターカバーが前記フィルターを覆った状態で係止されていないときに、前記集塵器を前記本体に取付ける場合、前記集塵器が本体と取付く前に前記フィルターカバーが前記集塵器と接触し、前記フィルターカバーが係止位置まで押し込まれ前記本体に係止されることを特徴とする請求項１又は請求項２に記載の電気掃除機。
【請求項４】
前記集塵器の前記フィルターカバーと接触する位置に、押し込みリブが設けられていることを特徴とする請求項３に記載の電気掃除機。
【請求項５】
前記本体は連結部材を備え、
前記フィルターカバーには回動軸が設けられ、当該回動軸は前記連結部材に回動自在に軸支されていることを特徴とする請求項１乃至請求項４何れか１項に記載の電気掃除機。
【請求項６】
前記連結部材は前記フィルターカバーと異なる材質であることを特徴とする請求項５に記載の電気掃除機。
【請求項７】
前記連結部材は前記フィルターカバーと異なる色であることを特徴とする請求項５又は請求項６に記載の電気掃除機。
【請求項８】
前記フィルターカバーに、前記集塵器に設けられた空気排出部と空気経路とを連通する連通口を備えたことを特徴とする請求項１乃至請求項７の何れか１項に記載の電気掃除機。
【請求項９】
本体内に配設された電動送風機と、
該電動送風機により吸引された空気に含まれる塵埃を捕集する集塵器と、
前記集塵器の下流側に設けられたフィルターと、
該フィルターを開閉自在に覆うフィルターカバーと、を備え、
前記フィルターカバーは、前記本体後側で前記本体に回動自在に軸支され、前記本体前側で前記本体に設けられた係止部へ係脱可能に係止する係止手段と、係止状態の解除操作をする係止解除ボタンとを備え、
前記係止解除ボタンは前記集塵器が前記本体に取付けられた状態の時には前記集塵器に覆われて操作ができないようになっていて、
前記フィルターカバーが係止されていない状態で、前記集塵器を前記本体の取付け方向に接近させた場合、前記集塵器が前記フィルターカバーと接触し、前記係止手段がその係止位置まで押し込まれることで、前記フィルターカバーが前記本体に係止されることを特徴とする電気掃除機。
【請求項１０】
少なくとも吸込具と硬質管部と取り回しの為の把持部とが設けられたホース体を備え、
前記フィルターカバーに、前記ホース体の保持部を設けたことを特徴とする請求項１又は請求項９何れか１項に記載の電気掃除機。
【請求項１１】
本体内に配設された電動送風機と、
該電動送風機により吸引された空気に含まれる塵埃を捕集する集塵器と、
前記集塵器の下流側に設けられたフィルターと、
該フィルターを開閉自在に覆うフィルターカバーと、
少なくとも吸込具と硬質管部と取り回しの為の把持部とが設けられたホース体と、を備え、
前記フィルターカバーに、前記ホース体の保持部を設けたことを特徴とする電気掃除機。
【請求項１２】
前記ホース体の前記保持部は、前記フィルターカバーと異なる材質であることを特徴とする請求項１０又は請求項１１に記載の電気掃除機。
【請求項１３】
前記ホース体の前記保持部は前記フィルターカバーと異なる色であることを特徴とする請求項１０乃至請求項１２何れか１項に記載の電気掃除機。
【請求項１４】
前記ホース体の前記保持部の取付け位置を変更可能としたことを特徴とする請求項１０乃至請求項１３何れか１項に記載の電気掃除機。
【請求項１５】
前記ホース体の前記保持部を複数設けたことを特徴とする請求項１０乃至請求項１４何れか１項に記載の電気掃除機。
【請求項１６】
前記ホース体の前記吸込具及び前記硬質管部及び前記把持部のいずれか、又はその全部に、前記保持部に挿入可能な挿入片を設けたことを特徴とする請求項１０乃至請求項１５何れか１項に記載の電気掃除機。
【発明の詳細な説明】
【技術分野】
【０００１】
本発明は電気掃除機、詳しくはフィルターとフィルターカバーを備えた電気掃除機に関するものである。
【背景技術】
【０００２】
従来、フィルターとフィルターカバーを備えた電気掃除機として、フィルターを保持するフィルターカバーに爪状の係止手段を一体的に備えたものがある。フィルターカバーは樹脂成形部品であり、そのフィルターカバーの係止手段を本体に係止させて取付けている（例えば、特許文献１参照）。
【先行技術文献】
【特許文献】
【０００３】
【特許文献１】日本特開２００２−２７２６５６号公報（第３頁、図４）
【発明の概要】
【発明が解決しようとする課題】
【０００４】
前述した従来の電気掃除機においては、２箇所の係止手段を本体に係止させてフィルターカバーを本体に取付けているが、この際、樹脂で形成されているフィルターカバーを弾性変形させている。このように樹脂成形部品を弾性変形させて取付ける方法はよく用いられている。しかし、樹脂形成部品を繰り返し弾性変形させると、変形部分に疲労が残り弾性力が低下することから係止力が弱まり、電気掃除機の使用中に、意図しないフィルターカバーの外れが発生しフィルターの保持ができなくなるなど安全性、耐久性に課題があった。【０００５】
本発明は、前述のような課題を解決するためになされたものであり、フィルターカバーの本体との係止手段の耐久性を向上しながら、係止及び解除作業が容易な電気掃除機を提供することを目的とする。
【課題を解決するための手段】
【０００６】
本発明に係る電気掃除機は、本体内に配設された電動送風機と、電動送風機により吸引された空気に含まれる塵埃を捕集する集塵器と、集塵器の下流側に設けられたフィルターと、フィルターを開閉自在に覆うフィルターカバーとを備え、フィルターカバーは、一端側が本体に回動自在に軸支され、他端側が本体に設けられた係止部と係脱可能に係止され、当該係止部から係止状態の解除操作をする係止解除ボタンを備えたものである。
【発明の効果】
【０００７】
本発明によれば、フィルターカバーは本体との係止状態の解除操作をする係止解除ボタンを備えたので、フィルターカバーを弾性変形させることなく本体に係止させることができることから、係止と解除を繰り返すことに対して耐久性が向上し、係止解除ボタンを操作すると係止手段が解除されるようにしたので、意図的にフィルターカバーを弾性変形させないので、フィルターカバーの係止解除が安全で容易となり作業性が向上する。
【図面の簡単な説明】
【０００８】
【図１】本発明の実施の形態に係る電気掃除機全体の斜視図である。
【図２】本発明の実施の形態に係る電気掃除機本体を右方向から見た側面図である。
【図３】本発明の実施の形態に係る電気掃除機本体を左方向から見た側面図である。
【図４】本発明の実施の形態に係る電気掃除機本体をハンドル中心近傍前後方向でカットし右方向から見た断面図である。
【図５】本発明の実施の形態に係る電気掃除機本体を上方向から見た上面図である。
【図６】本発明の実施の形態に係る電気掃除機本体を後方向から見た後面図である。
【図７】（ａ）本発明の実施の形態に係る電気掃除機の集塵器を外した状態の斜視図、（ｂ）本発明の実施の形態に係る電気掃除機の集塵器を外し、フィルターカバーを開けた状態の斜視図である。
【図８】本発明の実施の形態に係る電気掃除機の集塵器を外した状態の上面図である。
【図９】（ａ）図８に示す上面図をＡ−Ａ断面でカットし前方向から見たＡ−Ａ断面図、（ｂ）係止手段が係止されていない状態のＡ−Ａ断面図である。
【図１０】図４に示す断面図のフィルターカバー周辺の要部拡大図である。
【図１１】（ａ）〜（ｄ）係止手段周辺断面の要部を拡大した係止手段の動作図である。
【図１２】（ａ）本発明の実施の形態に係る電気掃除機のフィルターカバーに設けられた保持部に、硬質延長管部の挿入片を挿入した状態の側面図、（ｂ）図１２（ａ）の保持部近傍で切断した側方断面図である。
【図１３】（ａ）本発明の実施の形態に係る電気掃除機本体に保持部を側面方向に取付けた状態の上方向から見た上面図、（ｂ）本発明の実施の形態に係る電気掃除機本体に保持部を複数設けた状態の上方向から見た上面図である。
【発明を実施するための形態】
【０００９】
図１は本発明の実施の形態に係る電気掃除機全体の斜視図、図２は本発明の実施の形態に係る電気掃除機本体を右方向から見た側面図、図３は本発明の実施の形態に係る電気掃除機本体を左方向から見た側面図、図４は本発明の実施の形態に係る電気掃除機本体をハンドル中心近傍前後方向でカットし右方向から見た断面図、図５は本発明の実施の形態に係る電気掃除機本体を上方向から見た上面図である。
なお、それぞれの図において、同じ部分または相当する部分には同じ符号を付し、一部の説明を省略する。
以下、図１〜図５により本発明の実施の形態の電気掃除機の構成について説明する。
【００１０】
図１に示すように、１００は本発明の実施の形態の電気掃除機であり、本体１とホース体６と集塵器８を備えている。本体１は図１〜図３に示すように、樹脂成形で形成された本体１の上部を構成する上ケース２と本体１の下部を構成する下ケース３とホース体接続部４及び吸気管５と排気管１８とにより構成されている。
【００１１】
ホース体６は図１に示すように塵埃を吸引するための吸込具６ｆと、伸縮構造を有する硬質延長管部６ｅと、電気掃除機１００を操作するための入力を行う操作部６ｄを備え電気掃除機１００の取り回しおよび吸込具６ｆを操る把持部６ｃと、例えば蛇腹のような可撓性を有する軟質管部６ｂと、挿入部６ａとにより構成されている。
【００１２】
本体１において、ホース体接続部４にはホース体接続口７が設けられており、図１に示すようにホース体６の一端部に設けられた挿入部６ａを着脱自在に接続できるようになっている。
【００１３】
図２、図３に示すように本体１の上部を構成する上ケース２は、前側から後側に向かって上方に傾斜しており、その傾斜に沿って図５に示すように本体１の側面の一方に吸気管５、他方に排気管１８を有している。
【００１４】
吸気管５は一端をホース体接続部４と流入口１３で接続され、ホース体接続部４と吸気管５の空気経路とが連通するようになっている。また、上ケース２には、集塵器８に設けられた空気排出部１６と空気経路とを連通するための連通口１７（図７（ａ）、図８参照）を備えるフィルターカバー１１が取付けられている。なお、フィルターカバー１１の取付け構造等については後段で詳述する。
【００１５】
本体１内には図４に示すように、電動送風機２１が、電動送風機収納室２０に収納され、配設されている。電動送風機２１は、塵埃を吸引するための吸引風を発生させる。電動送風機２１の空気経路上流にはフィルターカバー１１に覆われ保持されているフィルターユニット２３が配設されている。フィルターユニット２３は、電動送風機２１の保護を目的として電動送風機２１に異物が侵入しないように設けられている。
【００１６】
電動送風機２１は空気を吸引するためにモーター（図示せず）により高速で羽根（図示せず）を回転させている。このため、電動送風機２１は、もしも異物を吸込んでしまうと羽根（図示せず）に絡まる等して回転が落ち性能が低下したり、硬い異物では羽根（図示せず）が変形や損傷するなどして性能が低下したり、又は完全に回転が停止して故障したりする可能性がある。このような事態を避けるため、電動送風機２１は、フィルターユニット２３によって保護されている。
【００１７】
さらに、本体１内には操作部６ｄからの入力により電動送風機２１の駆動等を制御するための制御基板２２等が配設されている。
【００１８】
集塵器８は、吸引された空気に含まれる塵埃を捕集するためのものである。塵埃を捕集する方式としては、塵埃を含んだ空気から遠心力により塵埃と空気とを分離するサイクロン式や、塵埃を含んだ空気を通気性のある紙袋体に通過させ塵埃を捕集する紙パック式等があるが、本発明の実施の形態は塵埃の捕集方式に限定されるものではなく、捕集方式は適宜選択可能である。
【００１９】
集塵器８は、上ケース２の吸気管５と排気管１８とに挟まれた箇所に、吸気管５と排気管１８と同様に傾斜に沿って着脱自在に取り付けられている。集塵器８にはレバー（図示せず）と本体係止手段（図示せず）が設けられていて、レバーを操作すると本体１との係止状態が解除され本体１から分離可能となる。
【００２０】
それから集塵器８は、図１、図５に示すように吸気管５側に突出した吸引口１５を有しており、吸気管５の他端側に設けられた流出口１４と着脱自在に接続され吸気管５と集塵器８の空気経路が連通するようになっている。
【００２１】
また、集塵器８は、前述したように空気排出部１６を有しており、上ケース２に取付けられたフィルターカバー１１に設けられた連通口１７と接続され、集塵器８と本体１の空気経路が連通するようになっていて、その空気経路の下流には前述のフィルターユニット２３、電動送風機収納室２０及び電動送風機２１が備えられている。
【００２２】
さらに集塵器８にはハンドル１２が設けられている。このハンドル１２は集塵器８が本体１から分離されている場合の移動に使用されるが、集塵器８の本体１への取付け面側と反対側に設けられていて、集塵器８が本体１に取付けられている場合には本体１移動用のハンドルとしても使用される兼用ハンドルとなっている。
【００２３】
ここで空気の流れを説明すると、電動送風機２１を駆動させることで吸引風が発生し塵埃を含んだ空気が図１に示す吸込具６ｆから吸引される。吸引された塵埃を含んだ空気はホース体６を通り、ホース体接続部４から流入口１３で連結された吸気管５を経由し吸気管５の流出口１４から集塵器８の吸引口１５へ流れる。
【００２４】
集塵器８において塵埃が捕集され取り除かれた空気は、空気排出部１６を通りフィルターカバー１１に設けられた連通口１７から本体１に送られ、フィルターユニット２３を通過し電動送風機２１を経由して制御基板２２等を冷却した後、本体１内の空気経路（図示せず）を通過して排気管１８（図３参照）へ送られ、排気管１８に設けられた排気口１９（図３参照）から本体１外へ排出されるようになっている。
【００２５】
次に図６〜図１０により本発明の実施の形態の電気掃除機のフィルターカバー１１と本体１（上ケース２）との連結構造や係止構造、及び係止手段の動作について説明する。
図６は本発明の実施の形態に係る電気掃除機本体１を後方向から見た後面図、図７（ａ）は本発明の実施の形態に係る電気掃除機の集塵器８を外した状態の斜視図、図７（ｂ）は本発明の実施の形態に係る電気掃除機の集塵器８を外し、フィルターカバー１１を開けた状態の斜視図、図８は本発明の実施の形態に係る電気掃除機の集塵器８を外した状態の上面図、図９（ａ）は図８に示す上面図をＡ−Ａ断面でカットし前方向から見たＡ−Ａ断面図、図９（ｂ）は係止手段２５が係止されていない状態のＡ−Ａ断面図、図１０は図４に示す断面図のフィルターカバー１１周辺の要部拡大図、図１１（ａ）〜（ｄ）は係止手段２５周辺断面の要部を拡大した係止手段の動作図である。
なお、それぞれの図において、同じ部分または相当する部分には同じ符号を付し、一部の説明を省略する。
【００２６】
フィルターカバー１１は図６に示すように、本体１の後側において、樹脂成形で形成された連結部材２４によって、本体１の上部を構成する上ケース２と連結されている。連結状態を詳しく説明すると、図１０に示すように連結部材２４は、上ケース２に設けられた連結部材保持部３４に樹脂成形品の弾性で圧入するようにして爪掛け部３５で保持されている。
【００２７】
フィルターカバー１１は、連結部材２４に設けられた回動軸受け部３６に、フィルターカバー１１に一体的に設けられた回動軸３２を圧入するようにして回動自在に保持されていて、図７（ｂ）に示すように回動軸３２を中心に後方へ向かって約９０度の角度で開放するようになっている。
【００２８】
連結部材２４を使用せず、上ケース２にフィルターカバー１１の回動軸３２を保持する受け部を一体的に設けることも可能であるが、上ケース２とフィルターカバー１１とは外観を構成する部品でもあり、剛性を優先して材料を選択すると外観の美しさが低下してしまう。
【００２９】
また、外観の美しさを優先すると耐磨耗性の高い材料を選択し難いということもある。従って、上ケース２とフィルターカバー１１との外観の美しさ確保と、回動軸の受け部の強度、剛性確保、耐磨耗性確保等とをそれぞれ考慮すると、連結部材２４を強度、剛性、耐磨耗性の高い材料で形成した別部品として、上ケース２とフィルターカバー１１とを連結することが望ましい。さらに別部品とした連結部材２４が目立たないようにフィルターカバー１１等の色を変更することも可能である。そうすることで、上ケース２とフィルターカバー１１の外観の美しさを確保したまま、強度、剛性、耐磨耗性も確保した耐久性の高い連結構造が実現可能となる。
【００３０】
なお、本発明の実施の形態では図６のように連結部材２４が２つ設けられた例を示したが、連結部材２４の使用数は２つに限定されるものではなく、設定されたフィルターカバー１１の大きさにより１つでも３つでも仕様にあわせて使用数は適宜、選択可能である。
【００３１】
それから、フィルターカバー１１には、図７（ａ）、図８に示すように本体１の上部を構成する上ケース２と連結されている側と反対側の端部に２個一対の係止手段２５が設けられている。フィルターカバー１１は、係止手段２５のそれぞれが、図７（ｂ）に示す上ケース２に設けられた係止部２６と係合することで、上ケース２に係止されている。
【００３２】
図９（ａ）により係止構造を詳しく説明すると、係止手段２５は係止解除ボタン２８と係止軸部３０とを一体的に備えており、係止手段２５の係止軸部３０は、フィルターカバー１１に一体的に設けられた係止軸受け部２９に摺動自在に挿入されている。
【００３３】
係止解除ボタン２８の裏側と固定部材３７との間には略Ｖ字上に曲げられた板バネ２７が設けられていて、この板バネ２７の付勢力により係止手段２５に係止方向Ｘの力が働く。係止軸部３０は、係止軸受け部２９から３乃至５ｍｍ程度長くなっているので、板バネ２７の付勢力により係止軸部３０の先端部が係止軸受け部２９の端部から３乃至５ｍｍ程度突出するようになっている。
【００３４】
同様に係止解除ボタン２８も板バネ２７の付勢力によりフィルターカバー１１に設けられた開口から突出するようになっている。係止解除ボタン２８の開口からの突出寸法は係止軸部３０の先端部が係止軸受け部２９の端部から突出する最大寸法以上、例えば５ｍｍ突出している場合は５ｍｍ以上となるように設定しており、これを係止解除ボタン２８の動作寸法としている。
【００３５】
前述の板バネ２７の付勢力により係止軸受け部２９の端部から３乃至５ｍｍ程度突出した係止軸部３０の先端部が、上ケース２に設けられた係止部２６に入り込むことで、フィルターカバー１１と上ケース２の間にフィルターユニット２３を収めるようにしてフィルターカバー１１と上ケース２が係止された状態となり固定される（図４参照）。
【００３６】
その後、掃除機１００を使用するときには集塵器８を必ず取付けることになるが、もしフィルターカバー１１と上ケース２を係止することを忘れていたとしても集塵器８を取付けることで係止されるようになっている。
【００３７】
図１１（ａ）〜（ｄ）は係止手段２５周辺断面の要部を拡大した係止手段の動作図である。図１１（ａ）に示すように係止軸部３０の先端部の、係止部２６の方向に向かう下側には、傾斜形状部３１が設けられている。係止解除ボタン２８を操作しない状態でフィルターカバー１１を係止方向Ｙの方向へ押し込んでいくと、この傾斜形状部３１が係止部２６が設けられている側壁３８の角部３９に接触するようになる。
【００３８】
接触した状態から、さらにフィルターカバー１１を押し込むと、図１１（ｂ）のように板バネ２７の付勢力に抗しながら、係止部２６が設けられている側壁３８の角部３９を、傾斜形状部３１が滑り、係止手段２５は、板バネ２７の付勢力に抗しながら係止解除方向へ動く。そして、図１１（Ｃ）のように係止軸部３０の先端部が、側壁３８と接触しながら係止方向へ押し込まれていく。
【００３９】
そして係止軸部３０が係止部２６の設けてられている箇所にくると、図１１（ｄ）のように板バネ２７の付勢力により係止軸部３０が係止部２６に入り込むようになり、フィルターカバー１１と上ケース２が係止された状態となる。
【００４０】
このようにフィルターカバー１１を押し込むとフィルターカバー１１と上ケース２が係止されるようになるが、図１０に示すように集塵器８には押し込みリブ３３が設けられている。押し込みリブ３３は、集塵器８が取り付いた状態において、フィルターカバー１１の係止手段２５が設けられている近傍の角部に上方から接する位置に、設けられている。
【００４１】
よって、フィルターカバー１１が係止されていない状態で集塵器８を取付けようとすると、取付けの途中で押し込みリブ３３がフィルターカバー１１の係止手段２５が設けられている近傍の角部と接触することになるので、押し込みリブ３３によってフィルターカバー１１が係止方向へ押し込まれることになる。
【００４２】
そうすると、係止手段２５は前述のような構成となっているので、フィルターカバー１１が係止されていなくても、使用の際に集塵器８を取り付ければ、集塵器８を取付ける動作の中でフィルターカバー１１も係止されるようになり、集塵器８が本体１に取り付けられるのとほぼ同じタイミングで簡単で確実にフィルターカバー１１が係止されるようになっている。
【００４３】
なお、ここではフィルターカバー１１の係止をしていない（忘れた）場合の集塵器８の取付けによりフィルターカバー１１が係止される説明をしたが、前述のような構成となっているので集塵器８を取付ける前にフィルターカバー１１を手できちんと係止する際も、フィルターカバー１１を押し込むことで簡単に係止させることができる。
【００４４】
前述のように係止された状態からフィルターカバー１１を開放する時には、板バネ２７の付勢力に抗して係止方向Ｘと反対の方向へ係止解除ボタン２８を操作する。但し、係止解除ボタン２８は２個一対で独立して動作するように設けられているので片方だけ操作しても片方しか係止状態を解除できない。そのため、両方から、係止解除ボタン２８を指等で摘まむように同時に操作をする。
【００４５】
すると、それによりそれぞれの係止軸部３０が係止軸受け部２９の中を摺動し、係止軸部３０の先端部が係止部２６から抜ける方向へ移動する。係止軸部３０の先端部と係止部２６との係止寸法は、係止軸部３０の先端部が係止軸受け部２９の端部から突出した３乃至５ｍｍ程度であるが、前述のように、係止解除ボタン２８の動作寸法を、係止軸部３０の先端部が係止軸受け部２９の端部から突出する最大寸法以上、例えば５ｍｍ突出している場合は５ｍｍ以上、としているので確実に解除される。
【００４６】
解除された状態から係止解除ボタン２８を摘まんだまま上に引き上げれば、図７（ｂ）に示すように、フィルターカバー１１が回動軸３２を中心に後方へ向かって約９０度の角度で簡単に開放でき、フィルターユニット２３が取り出せるようになる。
【００４７】
ここまでフィルターカバー１１の係止と解除とについて説明してきたが、集塵器８が取付けられると、図５のようにフィルターカバー１１に設けられた係止手段２５の係止解除ボタン２８は、集塵器８に覆われるようになる。よって集塵器８が取付けられた状態では、係止解除ボタン２８の操作はできない。従って、掃除機１００を使用中に誤ってフィルターカバー１１が開放されてしまうことがないので、使用者の誤操作を防止でき安全に掃除機１００を使用することができる。
【００４８】
さらに、前述したようにフィルターカバー１１に保持されているフィルターユニット２３は電動送風機２１の保護を目的として電動送風機２１に異物が侵入しないように設けられており、フィルターユニット２３を保持するフィルターカバー１１が確実に係止されるので電動送風機２１の性能低下や故障を防止することができ、電動送風機２１の能力を維持することができる。
【００４９】
次に、フィルターカバー１１には図１２（ａ）、（ｂ）に示すようにホース体６の保持部５０が設けられている。図１２（ａ）は本発明の実施の形態に係る電気掃除機のフィルターカバー１１に設けられた保持部５０に、硬質延長管部６ｅの挿入片６ｇを挿入した状態の側面図、図１２（ｂ）は図１２（ａ）の保持部５０近傍で切断した側方断面図である。
【００５０】
保持部５０はフィルターカバー１１とは別体の、樹脂成形で形成された部品であり、フィルターカバー１１の回動軸３２側（本体１の後側）にネジ５１で固定されている。保持部５０は、図１２（ａ）のように掃除中にホース体６を床に置くことなく保持しておくためのものである。
【００５１】
保持部５０は図１２（ｂ）に示すように断面形状がコの字をしており、そこにホース体６の硬質延長管部６ｅに設けられたＬ字形状の挿入片６ｇを挿入するようになっている。挿入するたびに、挿入片６ｇは保持部５０に衝撃を与えることになるが、前述したようにフィルターカバー１１は外観を構成する部品でもあり、剛性を優先して材料を選択すると外観の美しさが低下してしまう。そのため、強度、剛性確保、耐磨耗性確保等を考慮し、保持部５０は別体となっている。また、使用者が挿入し易くなるようフィルターカバー１１や他の部品と保持部５０との色を変えることで使用者の目安としている。
【００５２】
このようにすることで清掃中に少しの間、別の用事を済ませたい状況が発生しても、わざわざホース体６を床に置く必要がないので、腰や膝を曲げてホース体６を拾い上げることなく直ぐに再びホース体６を手に取ることができる。従って、使用者がホース体６を床から拾い上げる煩わしさを解消することができ、使用者の腰や膝に負担を掛けることを少なくすることができる。
【００５３】
なお、本実施の形態では保持部５０をフィルターカバー１１の回動軸３２側（本体１の後側）に設ける構成で説明しているが、図１３（ａ）のように側面方向に設けてもよく、側面方向にネジ座を設けておけばネジ５１を取り外すことでフィルターカバー１１の回動軸３２側から側面方向に取付け位置を移動、変更することが可能となる。ネジ１本での取り外しで移動、変更可能であるので、使用者がドライバー等の工具を使用することで自分の使い勝手の良い位置へ移動、変更させることも容易である。
【００５４】
また、保持部５０は１箇所に限られるものではなく、図１３（ｂ）のようにフィルターカバー１１の回動軸３２側と側面方向の両方のように複数設けてもよく、複数設けることによって使用者の利便性が向上する。
【００５５】
さらに、本実施の形態では硬質延長管部６ｅに挿入片６ｇを設けた例を示したが、挿入片６ｇは、吸込具６ｆや把持部６ｃ等に設けても良く、ホース体６の構成に合わせ、硬質延長管部６ｅ、吸込具６ｆや把持部６ｃのいずれか、又はそれらの全てに設けても、同様に清掃中に少しの間、別の用事を済ませたい状況が発生した場合に、わざわざホース体６を床に置く必要がなく、直ぐに再びホース体６を手に取ることができ使用者がホース体６を床から拾い上げる煩わしさを解消することができる。
【００５６】
以上のように本発明の実施の形態においては、フィルターカバー１１に本体１へ係止する係止手段２５と係止状態の解除操作をする係止解除ボタン２８とを備えたので、フィルターカバー１１を弾性変形させることなく本体１に係止させることができる。係止解除ボタン２８を操作すると係止手段２５が解除されるようにしたので、フィルターカバー１１を弾性変形させないので、フィルターカバー１１の係止解除が安全で容易となり作業性が向上する。またこれにより、係止と解除とを繰り返すことに対する、フィルターカバー１１の耐久性を向上させることができる。
【００５７】
また、フィルターカバー１１を連結する部品を、強度、剛性、耐磨耗性の高い材料で形成した別部品としたので、フィルターカバー１１を繰り返しの開閉する際の耐久性が向上する。それから、掃除中にはフィルターカバー１１が集塵器８に覆われるようになっているので、掃除中に誤ってフィルターカバー１１を開放してしまうことがなく使用者の誤操作を防止することができ、安全に掃除機１００を使用することができる。
【符号の説明】
【００５８】
１  本体、２  上ケース、３  下ケース、４  ホース体接続部、５  吸気管、６  ホース体、６ａ  挿入部、６ｂ  軟質管部、６ｃ  把持部、６ｄ  操作部、６ｅ  硬質延長管部、６ｆ  吸込具、６ｇ  挿入片、７  ホース体接続口、８  集塵器、９  車輪、１０  キャスター、１１  フィルターカバー、１２  ハンドル、１３  流入口、１４  流出口、１５  吸引口、１６  空気排出部、１７  連通口、１８  排気管、１９  排気口、２０  電動送風機収納室、２１  電動送風機、２２  制御基板、２３  フィルターユニット、２４  連結部材、２５  係止手段、２６  係止部、２７  板バネ、２８  係止解除ボタン、２９  係止軸受け部、３０  係止軸部、３１  傾斜形状部、３２  回動軸、３３  押し込みリブ、３４  連結部材保持部、３５  爪掛け部、３６  回動軸受け部、３７  固定部材、３８  側壁、３９  角部、５０  保持部、５１  ネジ、１００  電気掃除機、Ｘ  係止方向、Ｙ  係止方向。
【図１】
0005578281.tif 000002
【図２】
0005578281.tif 000003
【図３】
0005578281.tif 000004
【図４】
0005578281.tif 000005
【図５】
0005578281.tif 000006
【図６】
0005578281.tif 000007
【図７】
0005578281.tif 000008
【図８】
0005578281.tif 000009
【図９】
0005578281.tif 000010
【図１０】
0005578281.tif 000011
【図１１】
0005578281.tif 000012
【図１２】
0005578281.tif 000013
【図１３】
0005578281.tif 000014